(57)【要約】      （修正有）【課題】１個の電気温灸器で、電源器具も１個で、簡単に操作できて、温灸、指圧、電位治療等の健康効果を得ることにある。【解決手段】Ｔ字状に垂設した把持部４の側部の端面に電位治療用の指圧突起６を突設している。そして、温灸部３に電気加熱の遠赤外線放射のセラミックスヒータ２を内装するとともに、枇杷葉エキスを含浸の吸着体７をキャップ１１を着脱して交替可能に装着し、このキャップ１１にマイナスイオンを発生させる天然鉱石の粉粒体を配設し、この前面である治療当接面にゲルマニウムの当接体１２を配設している。【選択図】図１
0003146429.tif 000002
【実用新案登録請求の範囲】
【請求項１】
電気温灸の温灸部にＴ字状の把持部を垂設して電気温灸可能とした電気温灸器であって、上記Ｔ字状に垂設した把持部の側部の端面に電位治療用の指圧突起を突設したことを特徴とする電気温灸器。
【請求項２】
温灸部に電気加熱の遠赤外線放射のセラミックスヒータを内装するとともに、枇杷葉エキスを含浸の吸着体をキャップを着脱して交替可能に装着していて、このキャップの前面である治療当接面にゲルマニウムの当接体を配設した請求項１に記載の電気温灸器。
【請求項３】
温灸部のキャップにマイナスイオンを発生させる天然鉱石の粉粒体を配設したものである請求項２に記載の電気温灸器。
【請求項４】
電源コントローラに温灸の温熱治療用と電位治療用のスイッチを設けるとともに、温熱治療と電位治療を交互に通電可能に交互治療用のスイッチを設けた請求項１ないし３のいずれかに記載の電気温灸器。
【請求項５】
Ｔ字状に垂設した把持部の指圧突起を突設した側端部に段落結合部を設け、筒状の連結具の両端部を上記した把持部の側端部の段落結合部にそれぞれ嵌合して２個の電気温灸器を結合するとともに、１個の電源コントローラを介して２個一対とした電気温灸器にそれぞれ出力ケーブルを接続するようにした請求項１ないし３のいずれかに記載の電気温灸器。
【考案の詳細な説明】
【技術分野】
【０００１】
本考案は、経穴部等を能率よく温熱治療できる電気温灸器に関するものである。
【背景技術】
【０００２】
従来、肩こり、頭痛、腰痛などの治療にその経穴部を遠赤外線放射等の温灸器で温灸治療することが知られている。本出願人は、この遠赤外線放射の電気温灸器を開発してきている。
【０００３】
特に、温灸部に枇杷葉エキスを含浸した吸着体を装着する枇杷葉温灸器を開発して販売してきているが、近年マイナスイオン効果や電位治療効果をはかる医療用マットやサウナ室、健康器具が提案されているため、これらの機能を電気温灸器に追加できないかを検討中であった。
【特許文献１】特開２００５−３４２４６９号公報
【特許文献２】特開２００５−８７７２４号公報
【特許文献３】実用新案登録第３０８７３６１号公報
【０００４】
たとえば、上記特開２００５−３４２４６９号公報は、帯電率の高い極薄シートをマイナス電位布として温熱器用チョッキ内面に取り付けて、病院での患者用や自宅での温熱治療にマイナスイオンとの相乗効果を奏することを提案している。
また、特開２００５−８７７２４号公報は、サウナ室や浴室の内面全体に遠赤外線、マイナスイオン等を発する天然鉱石やセラミックスの粉粒体を含有したモルタルで覆って、人間本来の治癒力を高めることを提案している。
【０００５】
さらに、実用新案登録第３０８７３６１号公報は、ベッドのような睡眠補助手段の頭部側に湿気と陰イオンとを提供し、後面部位に足裏指圧手段を設けて足裏を押圧して湿布し、熟睡をとりながら温熱治療を遂行でき、血液循環を促進させる多機能な温熱治療器を提案している。
しかし、これらは、それぞれ単独での健康用器具のものであり、特に後２者は大型のものである。
【考案の開示】
【考案が解決しようとする課題】
【０００６】
このように従来では、電気温灸器、マイナスイオン温熱器、サウナ室、温熱治療器や磁気ネックレス、ゲルマニウム腕輪などいろいろな健康器具が開発され、市販もされているが、それぞれの効能のために複数の器具を購入してそれぞれ電源器具が必要で、１個ないし２個一対の器具で電源器具も１個で、簡単に操作できて健康効果を得られるようにするのが課題であった。
【課題を解決するための手段】
【０００７】
本発明は、上記のような点に鑑みたもので、上記の課題を解決するために、電気温灸の温灸部にＴ字状の把持部を垂設して電気温灸可能とした電気温灸器であって、上記Ｔ字状に垂設した把持部の側部の端面に電位治療用の指圧突起を突設したことを特徴とする電気温灸器を提供するにある。
【０００８】
また、温灸部に電気加熱の遠赤外線放射のセラミックスヒータを内装するとともに、枇杷葉エキスを含浸の吸着体をキャップを着脱して交替可能に装着していて、このキャップの前面である治療当接面にゲルマニウムの当接体を配設したことを特徴とする電気温灸器を提供するにある。
【０００９】
さらに、温灸部のキャップにマイナスイオンを発生させる天然鉱石の粉粒体を配設したことを特徴とする電気温灸器を提供するにある。
【００１０】
さらに、電源コントローラに温灸の温熱治療用と電位治療用のスイッチを設けるとともに、温熱治療と電位治療を交互に通電可能に交互治療用のスイッチを設けたことを特徴とする電気温灸器を提供するにある。
【００１１】
さらにまた、Ｔ字状に垂設した把持部の指圧突起を突設した側端部に段落結合部を設け、筒状の連結具の両端部を上記した把持部の側端部の段落結合部にそれぞれ嵌合して２個の電気温灸器を結合するとともに、１個の電源コントローラを介して２個一対の電気温灸器にそれぞれ電源ケーブルを接続するようにしたことを特徴とする電気温灸器を提供するにある。
【考案の効果】
【００１２】
本考案の電気温灸器は、電気温灸の温灸部にＴ字状の把持部を垂設して電気温灸可能とした電気温灸器であって、上記Ｔ字状に垂設した把持部の側部の端面に電位治療用の指圧突起を突設したことによって、温灸の温熱治療が行えるとともに、電気温灸器のＴ字状の把持部の側部の端面の指圧突起を被治療者の所要部に押圧すると、指圧効果を奏し、かつ電位治療を行えて頭痛、肩こり、不眠、慢性便秘等の改善をはかれる。
【００１３】
また、温灸部に電気加熱の遠赤外線放射のセラミックスヒータを内装するとともに、枇杷葉エキスを含浸の吸着体をキャップを着脱して交替可能に装着していて、このキャップの前面である治療当接面にゲルマニウムの当接体を配設することによって、上記した電気温灸器で遠赤外線放射の枇杷葉のエキスによる温灸の温熱治療ができるとともに、キャップ部のゲルマニウムの当接体の当接で人体の生体電流のバランスを整え、体内の電位差異常を修正でき、血液循環を促進して健康な生理状態が得られる。しかも、温熱による加熱によって、ゲルマニウムの電子活動が活性化されて相乗効果を奏する。
【００１４】
さらに、温灸部のキャップにマイナスイオンを発生させる天然鉱石の粉粒体を配設することによって、電気温灸器のキャップを介してマイナスイオンを発生できて、室内の電子レンジ、テレビジョン、パソコン等での発生したプラスイオンと中和して、不健康になりがちな室内の空気の清浄化に役立つ。
【００１５】
さらに、電源コントローラに温灸の温熱治療用と電位治療用のスイッチを設けるとともに、温熱治療と電位治療を交互に通電可能に交互治療用のスイッチを設けたことによって、上記した温熱治療と電位治療を交互に行えて、これらの相乗効果をはかることができる。
【００１６】
さらにまた、Ｔ字状に垂設した把持部の指圧突起を突設した側端部に段落結合部を設け、筒状の連結具の両端部を上記した把持部の側端部の段落結合部にそれぞれ嵌合して２個の電気温灸器を結合するとともに、１個の電源コントローラを介して２個一対の電気温灸器にそれぞれ電源ケーブルを接続するようにしたことによって、上記した電気温灸器を２個結合できて枇杷葉エキスによる温湿の温灸の温熱治療ができるとともに、上記のような効果を奏し、さらに２個一対の電気温灸器を１個の電源コントローラで使用できる。
【考案を実施するための最良の形態】
【００１７】
本考案の電気温灸器は、電気温灸の温灸部にＴ字状の把持部を垂設して電気温灸可能とした電気温灸器であって、上記Ｔ字状に垂設した把持部の側部の端面に電位治療用の指圧突起を突設したことを特徴としている。
【００１８】
電気温灸器１は、図１のようにヒーター２に通電して加熱温灸自在とした温灸部３にＴ字状の把持部４を垂設していて、このＴ字状の水平部の把持部４の一側部に通電用のスイッチ５を設け（省略可）、他側部の端面を凸球面状に一体的に突設してその中心部に電位治療用の指圧突起６を装着し、温熱治療と押圧して指圧して電位治療をできるようにしている。
【００１９】
上記温灸部３は、ヒーター２を所要のセラミックスヒーターとした遠赤外線放射のものとしていて、その前方に枇杷葉やにんにく等のエキス含浸の吸着体７を交換可能に装着するようにし、この吸温熱７を加熱して遠赤外線による乾式温灸とエキスによる湿式温灸の両方の温熱治療ができるようにしている。
【００２０】
枇杷葉にはアミグダリン、ウルソール酸、オレアノール酸、枇杷葉タンニン、サポニン、ブドウ糖等を含有していて、自然治癒力を向上して病気の予防や治療に効果を有し、にんにくにはビタミン類を豊富に含み、疲労物質の乳酸を分解する成分を有して、疲労を回復する効果を有する。
【００２１】
また、このエキスの含浸の吸着体７には、もぐさを利用していて、もぐさの温灸効果として自律神経をコントロールして諸臓器の働きを活発化し、血液の循環をよくし、身体の抵抗力を増強して細胞の働きを活発化できる。
【００２２】
そして、上記Ｔ字状の把持部４の他側部の指圧突起６には、図２のようにチタンの１０ｍｍ径の半球体を後部側を埋設状態として装着し、このチタンの半球体の指圧突起６の後部を電気接続部８に接触させて一側部のスイッチ５を介して後述する電源コントローラ９に接続し、所定のマイナス電位を生じさせて治療部に電位治療を行える。
【００２３】
電位治療は、マイナス電位発生のマイナス電位コントローラ１０で−３００〜−５００Ｖのマイナス電位をチタンの指圧突起６部に発生させ、指圧効果とともに血液の循環に大いに作用して頭痛、肩こり、不眠、慢性便秘などに有効なものとしている。マイナス電位コントローラ１０は商用周波数としているが、高周波の電位治療とすることもできる。チタンは、光、電位差、熱などのエネルギーにより電子を取り込み放電する性質をもっていて、マイナスイオンの放出を促進させる。
【００２４】
また、上記温灸部３には、図３（ａ）、（ｂ）のようにキャップ１１を脱着可能に取り付けていて、このキャップ１１を６６ナイロン、ポリアミドやポリプロピレン、ガラス繊維強化材等の耐熱性樹脂にマイナスイオンを発生させるトルマリン、麦岩石、ゼオライト、セラミックス、微小の放射線を放出する北投石、バドガスダイン、ラドン、セシウムなどを含む天然鉱石の粉粒物を混練して形成しているとともに、その前面にゲルマニウムの５ｍｍ径の半球状体の当接体１２を軸対称状に（図上３個）配設している。
【００２５】
そのため、本電気温灸器１の温灸部３を被治療者の治療部に当接すると、キャップ１１部のゲルマニウムの当接体１２の当接で人体の生体電流のバランスを整え、体内の電位差異常を修正でき、血液循環を促進して健康な生理状態が得られる。特に、温熱による加熱によって、ゲルマニウムの電子活動が活性化されて相乗効果を奏する。
【００２６】
また、温灸部１のキャップ１１に上記のようにマイナスイオンや微少の放射線を発生させる天然鉱石の粉粒体を配設することによって、電気温灸器１のキャップ１１を介してマイナスイオンを発生できて、室内の電子レンジ、テレビジョン、パソコン等での発生したプラスイオンと中和して、不健康になりがちな室内の空気の清浄化に役立ちまた細胞に刺激を与えて身体を活性化するホルミシス効果やセラピー効果を奏する。
【００２７】
上記電気温灸器１のＴ字状の把持部４の他側部は、図４（ａ）、（ｂ）のように所定量だけ四角状に段設し、この段落結合部１３の上下部に蟻状の係止部１４をそれぞれ設け、図５（ａ）、（ｂ）の短い四角の筒状の連結具１５に上記係止部１４に係合する蟻溝状の係合部１６を両側にそれぞれ設け、図６のように２個の電気温灸器１を連結具１５を介して連結して同時に温灸できるようにしている。１７はストッパー、１８はストッパー係止孔である。
【００２８】
上記電気温灸器１の電気供給には、図１、図６のようにＡＣ１００Ｖの電源コード１９を接続した電源コントローラ９に直流変換のＤＣアダプター２０、上記したマイナス電位コントローラ１０を内装していて、治療切換釦２１によって温熱治療、電位治療とこれらの交互治療を行なえるようにしているとともに、温熱出力釦２２によって強、中、弱の出力の切換ができるようにしている。２３は開始、終了釦であり、出力ケーブル２４を２本配設して電気温灸器１にそれぞれ接続するようにしている。
【００２９】
上記温熱治療と電位治療の交互治療は、タイマーによって温熱治療と電位治療を４０〜５０秒：１８〜１０秒の間隔で交互に通電して、上記した温熱治療と電位治療を交互に行って相乗効果を奏するようにしている。２５はメインスイッチ、２６温熱中ランプ、２７は電位治療中ランプ、２８は交互治療中ランプである。
【実施例】
【００３０】
図１以下は、本考案の一実施例を示すものである。電気温灸器１は、図１のようにセラミックスヒーター２で強、中、弱に加熱温灸自在とし、枇杷葉のエキス含浸の吸着体７を交換可能に装着した温灸部３にＴ字状の把持部４を垂設し、このＴ字状の水平部の把持部４の一側部に通電用のスイッチ５を設け、他側部の端面を凸球面状としてその中心部に電位治療用の指圧突起６を装着し、温熱治療したり、押圧して指圧して電位治療したり、これらの交互治療を行うことができるようにしている。
【００３１】
そして、上記Ｔ字状の把持部４の他側部の指圧突起６に、図２のようにチタンの１０ｍｍ径の半球体を後部側を埋設状態として装着し、このチタンの半球体の指圧突起６の後部を電気接続部８に接触させて一側部のスイッチ５を介して電源コントローラ９のマイナス電位発生のマイナス電位コントローラ１０に接続し、−３５０Ｖのマイナス電位をチタンの指圧突起６部に発生させ、治療部の電位治療を行えるようにしている。
【００３２】
また、図３（ａ) 、（ｂ）のように上記温灸部３のキャップ１１をポリプロピレンの耐熱性樹脂にマイナスイオンを発生させる麦光石、ゼオライト、セラミックス、微小の放射線を放出する北投石、バドガスダイン、セシウムなどを含む天然鉱石の粉粒物を混練して形成し、さらにその前面にゲルマニウムの５ｍｍ径の半球状体の当接体１２を軸対称状に３個をやや突き出して配設している。
【００３３】
そのため、電源コントローラ９で所要の設定をして、電気温灸器１のＴ字状の把持部４の一側部の通電用スイッチ５を入れて温灸部３を被治療者の所要部に当接して、遠赤外線放射の枇杷葉のエキスによる温灸の温熱治療ができる。また、把持部４の他側部の端面の指圧突起６を被治療者の所要部に押圧すると、指圧効果を奏するとともに、電位治療を行えて頭痛、肩こり、不眠、慢性便秘等の改善をはかれる。
【００３４】
さらに、電気温灸器１の温灸部３のキャップ１１部を被治療者の治療部に当接すると、ゲルマニウムの当接体１２の当接で人体の生体電流のバランスを整え、体内の電位差異常を修正でき、血液循環を促進して健康な生理状態が得られる。また、温灸部１のキャップ１１からマイナスイオンを発生させるので、室内の電子レンジ、テレビジョン、パソコン等での発生したプラスイオンと中和して、不健康になりがちな室内の空気の清浄化に役立つ。
【００３５】
また、電源コントローラ９の交互治療の治療切換釦２１によって、上記のように温灸部３を被治療者の所要部に当接して遠赤外線放射の枇杷葉のエキスによる温灸の温熱治療ができるとともに、把持部４の他側部の端面の指圧突起６を被治療者の所要部に押圧すると、指圧効果を奏するとともに、電位治療を行えて、温熱治療と電位治療を交互に行って相乗効果を奏することができる。
【００３６】
さらに、図４、図５のようにＴ字状の把持部４の他側部の係止部１４に四角の筒状の連結具１５を介して図６のように電気温灸器を２個結合できて、上記のように枇杷葉エキスによる温湿の温灸治療ができるとともに、上記のような効果を奏し、さらに２個一対の電気温灸器を１個の電源コントローラで使用できる。
【図面の簡単な説明】
【００３７】
【図１】本考案の一実施例の一部省略した説明用概要図、
【図２】同上の把持部の側部の拡大断面図、
【図３】同上のキャップ部の側面図（ａ）と前面図（ｂ）、
【図４】同上の把持部の側部の側面図（ａ）と端面図（ｂ）、
【図５】同上の連結具の側断面図（ａ）と端面図（ｂ）、
【図６】同上の電気温灸器を２個連結した状態の説明用図。
【符号の説明】
【００３８】
１…電気温灸器    ２…ヒータ      ３…温灸部      ４…把持部    ６…指圧突起
１１…キャップ    １２…当接体    １５…連結具
【図１】
0003146429.tif 000003
【図２】
0003146429.tif 000004
【図３】
0003146429.tif 000005
【図４】
0003146429.tif 000006
【図５】
0003146429.tif 000007
【図６】
0003146429.tif 000008